(57)【要約】【課題】ユーザにおいて興味のあるカテゴリーに属する画像のみをユーザによる関与を伴いつつ表示させることができるようにする。【解決手段】ユーザにより選択された画像データに基づき画像を表示させる（ステップＳ８）。ＤＰＦ（デジタルフォトフレーム）の現在位置（ステップＳ９）、方向（ステップＳ１０）を取得する。現在液晶表示パネルに表示されている画像と同一カテゴリーの画像を表す画像データであって、前記方向が示す方向で撮影された画像データが内部メモリーにあるか否かを判断する（ステップＳ１２）。ある場合にはこれ選択し（ステップＳ１３）、複数ある場合には、最も近くで撮影された画像データを選択する（ステップＳ１５）。選択された画像データに基づき、液晶表示パネルに表示されている画像を表示変更する（ステップＳ１６）。【選択図】図４
2012123594.tif 000002
【特許請求の範囲】
【請求項１】
撮影位置の位置情報が記憶され、カテゴリー毎に分類された画像データが記憶されている記憶部と、
前記画像データに基いた画像を表示する表示面を有する表示部と、
前記表示部の位置と、前記表示面と直交する法線の方向のうち前記表示面と反対側に延びる前記法線の方向を取得する位置方向取得部と、
前記位置方向取得部により取得された前記表示部の位置を基準として、前記位置方向取得部により取得された前記法線の方向を基準とした所定範囲内の角度で撮影された画像のうち、選択されたカテゴリーの画像データを前記記憶部から選択する選択部と、
を備えることを特徴とする画像表示装置。
【請求項２】
前記記憶部に記憶されている前記画像データのいずれかに基づき、前記表示部に画像を表示させる初期表示制御部と、
前記選択部により選択された前記画像データに基づき、前記表示部に表示されている前記画像を表示変更する変更表示制御部と、
を更に備え、
前記選択部は、前記表示部に表示されている前記画像と同一カテゴリーの画像データの中から、前記位置方向取得部により取得された方向で撮影された画像を前記記憶部から選択することを特徴とする請求項１記載の画像表示装置。
【請求項３】
前記選択部は、前記位置方向取得部により取得された方向と最も近い角度で撮影された画像データを前記記憶部から選択することを特徴とする請求項１記載の画像表示装置。
【請求項４】
前記選択部は、前記表示部の現在位置に最も近い位置を撮影位置とする画像データを前記記憶部から選択することを特徴とする請求項１から３にいずれか記載の画像表示装置。
【請求項５】
前記変更表示制御部は、前記表示部の向きの変化に伴って前記選択部により次の画像データが選択されるまで、前記表示部に表示させている画像の表示を継続させることを特徴とする請求項１から４にいずれか記載の画像表示装置。
【請求項６】
前記初期表示制御部は、操作に応じて前記記憶部に記憶されている複数の画像データから任意に選択された画像データに基づき、前記表示部に画像を表示させることを特徴とする請求項１から５にいずれか記載の画像表示装置。
【請求項７】
前記記憶部に記憶された画像データには、撮影時の高度を示す高度情報が更に記憶され、
前記表示部の高度を示す現在高度を取得する高度取得部を更に備え、
前記選択部は、前記位置方向取得部により取得された方向で撮影された画像と同一カテゴリーの画像データが複数ある場合には、前記高度情報に基づき、前記現在高度に最も近い高度で撮影された画像データを選択することを特徴とする請求項１から６にいずれか記載の画像表示装置。
【請求項８】
撮影位置を示す位置情報が記憶された画像データであって、前記画像データにより表される画像のカテゴリー毎に分類された複数の画像データが記憶されている記憶部と、画像を表示する表示部とを備える装置が有するコンピュータを、
前記記憶部に記憶されている複数の画像データのいずれかに基づき、前記表示部に画像を表示させる初期表示制御部と、
前記装置の位置を示す現在位置を取得し且つ前記装置の向きを示す方向を取得する位置方向取得部と、
前記位置方向取得部により取得された現在位置と前記画像データが有する位置情報とに基づき、前記位置方向取得部により取得された方向で撮影された画像であって、前記表示部に表示されている画像と同一カテゴリーの画像データを前記記憶部から選択する選択部と、
前記選択部により選択された画像データに基づき、前記表示部に表示されている画像を表示変更する変更表示制御部と、
して機能させることを特徴とするプログラム。
【請求項９】
撮影位置を示す位置情報が記憶された画像データであって、前記画像データにより表される画像のカテゴリー毎に分類された複数の画像データが記憶されている記憶部と、画像を表示する表示部とを備える装置における画像表示方法であって、
前記記憶部に記憶されている複数の画像データのいずれかに基づき、前記表示部に画像を表示させる初期表示制御ステップと、
前記装置の位置を示す現在位置を取得し且つ前記装置の向きを示す方向を取得する位置方向取得ステップと、
前記位置方向取得ステップにより取得された現在位置と前記画像データが有する位置情報とに基づき、前記位置方向取得ステップにより取得された方向で撮影された画像であって、前記表示部に表示されている画像と同一カテゴリーの画像データを前記記憶部から選択する選択ステップと、
前記選択ステップにより選択された画像データに基づき、前記表示部に表示されている画像を表示変更する変更表示制御ステップと、
を含むことを特徴とする画像表示方法。
【発明の詳細な説明】
【技術分野】
【０００１】
本発明は、画像表示装置、プログラム及び画像表示方法に関し、特に同一カテゴリーの画像を順次表示する技術に関する。
【背景技術】
【０００２】
近年、デジタルカメラの普及により、写真は、デジタル画像データとして保存することが一般的となっている。従来のフィルムカメラによる撮影の場合、プリントを伴うことが多かったが、画像データの場合、撮影したデジタルカメラで閲覧したり、画像データを取り込んだパーソナルコンピュータなどで閲覧したりすることができるため、写真の楽しみ方にも変化が生じている。
【０００３】
このような状況において、画像データでも従来のプリント写真と同様の楽しみ方ができるようにするため、所謂デジタルフォトフレームが実現され普及している（例えば、特許文献１）。
【０００４】
デジタルフォトフレームでは、デジタル方式の特性を活かし、従来のプリント写真を掲出するフォトフレームではできなかった複数の画像を順次スライドショー形式で表示するなどの多様な表示態様を実現することができる。
【先行技術文献】
【特許文献】
【０００５】
【特許文献１】特開２００９−１４１６７８号公報
【発明の概要】
【発明が解決しようとする課題】
【０００６】
しかしながら、従来のデジタルフォトフレームにあっては、スライドショー形式を採用する等の表示態様に関しては工夫されてはいるが、いずれにしろ画像を順次表示するという単純な表示動作を行うもの過ぎない。
【０００７】
したがって、デジタルカメラで撮影した画像をデジタルフォトフレームで再生表示しても、順次表示される画像に関連性がなく、異なるカテゴリーに属する画像が混在して順次表示されてしまう。よって、ユーザにおいて興味のあるカテゴリーに属する画像のみを観賞することができない。
【０００８】
しかも、スライドショー形式で表示形態においては、画像は所定のタイミングで自動的に表示変更されることから、次に表示される画像の表示タイミングや表示される画像の内容にユーザが関与することができない。よって、ユーザの観賞時の動作は受動的であることから、ユーザにおいて早期に画像の観賞を飽きてしまう。
【０００９】
本発明は、かかる従来の課題に鑑みてなされたものであり、ユーザにおいて興味のあるカテゴリーに属する画像のみを、ユーザによる関与を伴いつつ表示させることのできる画像表示装置、プログラム及び画像表示方法を提供することを目的とする。
【課題を解決するための手段】
【００１０】
前記課題を解決するため、請求項１記載の発明に係る画像表示装置にあっては、撮影位置の位置情報が記憶され、カテゴリー毎に分類された画像データが記憶されている記憶部と、前記画像データに基いた画像を表示する表示面を有する表示部と、前記表示部の位置と、前記表示面と直交する法線の方向のうち前記表示面と反対側に延びる前記法線の方向を取得する位置方向取得部と、前記位置方向取得部により取得された前記表示部の位置を基準として、前記位置方向取得部により取得された前記法線の方向を基準とした所定範囲内の角度で撮影された画像のうち、選択されたカテゴリーの画像データを前記記憶部から選択する選択部と、を備えることを特徴とする。
【００１１】
また、請求項２記載の発明に係る画像表示装置にあっては、前記記憶部に記憶されている前記画像データのいずれかに基づき、前記表示部に画像を表示させる初期表示制御部と、前記選択部により選択された前記画像データに基づき、前記表示部に表示されている前記画像を表示変更する変更表示制御部と、を更に備え、前記選択部は、前記表示部に表示されている前記画像と同一カテゴリーの画像データの中から、前記位置方向取得部により取得された方向で撮影された画像を前記記憶部から選択することを特徴とする。
【００１２】
また、請求項３記載の発明に係る画像表示装置にあっては、前記選択部は、前記位置方向取得部により取得された方向と最も近い角度で撮影された画像データを前記記憶部から選択することを特徴とする。
【００１３】
また、請求項４記載の発明に係る画像表示装置にあっては、前記選択部は、前記表示部の現在位置に最も近い位置を撮影位置とする画像データを前記記憶部から選択することを特徴とする。
【００１４】
また、請求項５記載の発明に係る画像表示装置にあっては、前記変更表示制御部は、前記表示部の向きの変化に伴って前記選択部により次の画像データが選択されるまで、前記表示部に表示させている画像の表示を継続させることを特徴とする。
【００１５】
また、請求項６記載の発明に係る画像表示装置にあっては、前記初期表示制御部は、操作に応じて前記記憶部に記憶されている複数の画像データから任意に選択された画像データに基づき、前記表示部に画像を表示させることを特徴とする。
【００１６】
また、請求項７記載の発明に係る画像表示装置にあっては、前記記憶部に記憶された画像データには、撮影時の高度を示す高度情報が更に記憶され、前記表示部の高度を示す現在高度を取得する高度取得部を更に備え、前記選択部は、前記位置方向取得部により取得された方向で撮影された画像と同一カテゴリーの画像データが複数ある場合には、前記高度情報に基づき、前記現在高度に最も近い高度で撮影された画像データを選択することを特徴とする。
【００１７】
また、請求項８記載の発明に係るプログラムにあっては、撮影位置を示す位置情報が記憶された画像データであって、前記画像データにより表される画像のカテゴリー毎に分類された複数の画像データが記憶されている記憶部と、画像を表示する表示部とを備える装置が有するコンピュータを、前記記憶部に記憶されている複数の画像データのいずれかに基づき、前記表示部に画像を表示させる初期表示制御部と、前記装置の位置を示す現在位置を取得し且つ前記装置の向きを示す方向を取得する位置方向取得部と、前記位置方向取得部により取得された現在位置と前記画像データが有する位置情報とに基づき、前記位置方向取得部により取得された方向で撮影された画像であって、前記表示部に表示されている画像と同一カテゴリーの画像データを前記記憶部から選択する選択部と、前記選択部により選択された画像データに基づき、前記表示部に表示されている画像を表示変更する変更表示制御部と、して機能させることを特徴とする。
【００１８】
また、請求項９記載の発明に係る画像表示方法にあっては、撮影位置を示す位置情報が記憶された画像データであって、前記画像データにより表される画像のカテゴリー毎に分類された複数の画像データが記憶されている記憶部と、画像を表示する表示部とを備える装置における画像表示方法であって、前記記憶部に記憶されている複数の画像データのいずれかに基づき、前記表示部に画像を表示させる初期表示制御ステップと、前記装置の位置を示す現在位置を取得し且つ前記装置の向きを示す方向を取得する位置方向取得ステップと、前記位置方向取得ステップにより取得された現在位置と前記画像データが有する位置情報とに基づき、前記位置方向取得ステップにより取得された方向で撮影された画像であって、前記表示部に表示されている画像と同一カテゴリーの画像データを前記記憶部から選択する選択ステップと、前記選択ステップにより選択された画像データに基づき、前記表示部に表示されている画像を表示変更する変更表示制御ステップと、を含むことを特徴とする。
【発明の効果】
【００１９】
本発明によれば、ユーザにおいて興味のあるカテゴリーに属する画像のみを、ユーザによる関与を伴いつつ表示させることができる。よって、ユーザの観賞時の動作が能動的にして、ユーザの画像観賞に対する興趣性を向上させることができる。
【図面の簡単な説明】
【００２０】
【図１】本発明の実施形態に係るＤＰＦの外観を示す図である。
【図２】同ＤＰＦの回路構成を示すブロック図である。
【図３Ａ】同ＤＰＦの向き及びその変化を示す図である。
【図３Ｂ】同ＤＰＦの向き及び画像の選択方法を示す図である。
【図４】本実施の形態における処理手順を示すフローチャートである。
【図５】同実施の形態における表示遷移図である。
【発明を実施するための形態】
【００２１】
以下、本発明の実施形態について説明する。図１は、本発明を適用した画像表示装置としてのデジタルフォトフレーム（以下、ＤＰＦという）１を示す外観図である。
【００２２】
ＤＰＦ１の正面には、本体２に保持された液晶表示パネル３によって構成される表示部が設けられている。この液晶表示パネル３にはタッチパネル５が一体的に積層されており、指でタッチすることにより操作可能な構成を備えている。本体２の側面にはメモリーカードスロット６が設けられており、上部にＧＰＳアンテナ７が設けられている。
【００２３】
図２は、ＤＰＦ１の電気的構成を示したブロック図である。ＤＰＦ１は、ＣＰＵ（Ｃｅｎｔｒａｌ  Ｐｒｏｃｅｓｓｉｎｇ  Ｕｎｉｔ）１１と、ＣＰＵ１１に接続されたＲＯＭ（Ｒｅａｄ  Ｏｎｌｙ  Ｍｅｍｏｒｙ）１２、ＲＡＭ（Ｒａｎｄｏｍ  Ａｃｃｅｓｓ  ｍｅｍｏｒｙ）１３、内部メモリー１４を備え、ＲＯＭ１２には、ＣＰＵ１１に後述するフローチャートに示す動作を行わせるためのプログラムが記憶されている。
【００２４】
ＲＡＭ１３は、ＣＰＵ１１が必要に応じて種々のデータを一時的に記憶する作業用のメモリーである。
【００２５】
内部メモリー１４は、ハードディスクまたはフラッシュメモリーによる大容量不揮発性メモリーであり、後述するようにカテゴリー毎に分類される前の画像データ及び分類された後の画像データを多数保存可能である。
【００２６】
表示制御部１６は、ＣＰＵ１１から供給される表示用の画像データに基づいて液晶表示パネル３を駆動することにより、画像や各種メニューを液晶表示パネル３に表示させる。
【００２７】
キー入力制御部１７は、ＣＰＵ１１の制御に基づいてタッチパネル５の操作信号を入力するものである。
【００２８】
メモリーカードインターフェース１８は、メモリーカードスロット６に着脱自在に装着された各種のメモリーカード６０と、ＣＰＵ１１との間におけるデータの入出力を制御する入出力インターフェースである。
【００２９】
ＧＰＳ制御部２０は、ＧＰＳアンテナ７で受信した情報を元に、緯度・経度で示される位置情報を生成する。したがって、ＣＰＵ１１は、ＧＰＳ制御部２０が生成した位置情報に基づき、ＤＰＦ１の現在位置を取得することができる。
【００３０】
磁気方位センサ１９は、地磁気を検出し検出した地磁気の磁界強度から方位情報を電子的に出力する装置である。本実施の形態においては、図３Ａに示すように、ＤＰＦ１の液晶表示パネル３が有する画面に直交する法線であって、当該画面の背面側から延びる法線Ｌの方向をＤＰＦ１の向きとし、磁気方位センサ１９は法線Ｌの方向を検出する。つまり、液晶表示パネル３で画像を観賞している状態における鑑賞者Ｐの視線方向をＤＰＦ１の向きとする。
【００３１】
通信制御部３０は、電話回線３１若しくは無線ＬＡＮ３２を経由してメールの送受信を含む通信制御を行う。
アドレス帳３３は、メール送信に使用するアドレスが記憶され、実際は内部メモリー１４内に設けられる。
【００３２】
バックアップサーバ４０はネットワークを介してＤＰＦ１に接続され、自動的に若しくは手動指示により内部メモリー１４に記憶されたデータのバックアップを行う。
配信コンテンツサーバ５０は、多数のコンテンツや画像データを有しており、ネットワークを介してＤＰＦ１へデータを配信することができる。
パーソナルコンピュータ７０は、無線ＬＡＮ３２等で通信制御部３０を介してＤＰＦ１と接続でき、ＤＰＦ１では設定できない複雑な設定等をすることができる。
【００３３】
電源制御部８０は、電源プラグ８１を介してＡＣ（Alternating Current）電源を取り入れ、直流に変換して各部に電力を供給する。また、電源制御部８０は、図示しないバッテリーを介してＤＣ（Direct Current）を取り入れ、各部に電力を供給することもできる。つまり、このＤＰＦ１には、ＡＣ電源とＤＣ電源とを選択的に使用可能な二電源方式が採用されている。
【００３４】
ＤＰＦ１の内部メモリー１４に画像データを記憶するための画像データの転送方法としては、例えば、デジタルカメラで撮影した画像が保存されたＳＤメモリーカード、ＵＳＢフラッシュメモリー、メモリースティック等のメモリーカード６０を、ＤＰＦ１のメモリーカードスロット６に挿し込んで画像データを取り込み、ＤＰＦ１の内部メモリー１４に記憶する方法、またはデジタルカメラやパソコンとＵＳＢケーブルを介してＤＰＦ１のＵＳＢポートに接続して画像データを取り込み、ＤＰＦ１の内部メモリー１４に記憶する方法、または無線ＬＡＮや赤外線通信を使用して転送された画像データを受信して取り込み、ＤＰＦ１の内部メモリー１４に記憶する方法等が挙げられる。
【００３５】
また、内部メモリー１４は、メモリーカードスロット６に装着されたメモリーカード６０から読み込まれた画像データと、配信コンテンツサーバ５０により配信されて通信制御部３０を介して取り込まれた画像データとが予め記憶されている。これら内部メモリー１４に記憶されている画像データは下記の画像データＡ，Ｂのいずれかである。
○画像データＡ：ＧＰＳ機能を具備したデジタルカメラでの撮影により取得された画像データであり、撮影時のデジタルカメラの位置である撮影位置を示す位置データが付加されている。
○画像データＢ：ＧＰＳ機能を具備しない一般的なデジタルカメラでの撮影により取得された画像データであり、位置データが付加されていない。
【００３６】
図４は、本実施の形態における処理手順を示すフローチャートである。ＣＰＵ１１は、ＲＯＭ１２に格納されているプログラムに従って、このフローチャート示す手順で処理を実行する。まず、内部メモリー１４に記憶されている画像データに、位置データが付加されているか否か、つまり前記画像データＡであるか否かを判断する（ステップＳ１）。位置データが付加されていない画像データ（画像データＢ）である場合には、鑑賞者Ｐの操作により選択された画像を液晶表示パネル３に表示させる（ステップＳ２）。しかる後に、モード変更操作等による画像表示の終了指示があった否かを判断し（ステップＳ３）、終了指示があるまで、ステップＳ２からの処理を繰り返す。
【００３７】
したがって、内部メモリー１４に記憶されている位置データが付加されていない画像データに関しては、ユーザの操作に応じて選択された画像データに基づく画像が順次液晶表示パネル３に表示される。よって、鑑賞者Ｐは後述する位置データが付加されている画像データのみならず、位置データが付加されていない画像データに基づく画像も支障なく観賞することができる。
【００３８】
また、位置データが付加されている画像データ（画像データＡ）である場合には、当該画像データにより表される画像のカテゴリー毎に分類されているか否かを判断する（ステップＳ４）。ここで、画像のカテゴリーとは、当該画像中の被写体において最も面積が大きい被写体の種類、あるいは最も中心に位置する被写体の種類等であり、例えば「山」、「建築物」、「動物」、「花」、「人物」等である。無論、画像のカテゴリーの分類定義、分類方法、分類種別はこれらに限るものではない。
【００３９】
カテゴリー毎に分類されていない場合には、内部メモリー１４に記憶されている画像データのうち、位置データが付加されている画像データをカテゴリー毎に分類する（ステップＳ５）。このステップＳ５におけるカテゴリー毎の分類は、ユーザの手動操作に基づく手動分類、又は画像認識に基づきＣＰＵ１１が実行する自動分類のいずれであってもよい。
【００４０】
手動分類の場合は、例えば液晶表示パネル３の一方の領域に分類の種類「山」、「建築物」、「動物」、「花」、「人物」・・・を表示し、他方の領域に内部メモリー１４から読み出した画像データに基づく画像を順次表示して、当該画像が表示された際にユーザが分類の種別をタッチして指定する。これにより、表示された画像に対応する画像データがタッチにより指定された種別に分類されて内部メモリー１４に記憶される。
【００４１】
自動分類の場合は、ＣＰＵ１１が順次内部メモリー１４に記憶された画像データを順次読み出して、各画像データにより表される画像を認識し、この画像認識に結果に基づき、画像データをカテゴリー毎に分類して内部メモリー１４に記憶する。
【００４２】
この自動分類に際しては、液晶表示パネル３に「選択画像」と「全件画像」との選択肢を表示させ、ユーザにより「選択画像」が選択された場合には、内部メモリー１４に記憶されている画像データのうち、ユーザにより選択された画像の画像データのみを分類対象とする。また、ユーザにより「全件画像」が選択された場合には、内部メモリー１４に記憶されている全ての画像データを分類対象とする。
【００４３】
ステップＳ４又はステップＳ５に続くステップＳ６においてＣＰＵ１１は、サムネイル表示処理を実行する。すなわち、内部メモリー１４に記憶されているカテゴリーに分類済みの各画像データに基づき、サムネイルを表示するためのサムネイル画像データを生成し、各サムネイル画像データに基づくサムネイル画像を液晶表示パネル３に表示する。
【００４４】
なお、内部メモリー１４に記憶された画像データがメモリーカード６０から読み込まれた画像データである場合には、画像データ中に撮影により取得された画像データである本画像データと、その縮小画像データであるサムネイル画像データとが既に存在する場合がある。この場合には、サムネイル画像データを生成することなく、サムネイル画像データを読み出してサムネイル表示処理を行う。
【００４５】
したがって、このステップＳ６での処理により、図５（ａ）に示すように、液晶表示パネル３には、複数のサムネイル画像３０１〜３１６が表示される。
【００４６】
次に、ＣＰＵ１１は、キー入力制御部１７を介して入力されるタッチパネル５からの検出信号に基づき、いずれかのサムネイルが選択されたか否かを判断する（ステップＳ７）。いずれかのサムネイルが選択されると、当該選択されたサムネイル画像に対応する画像データに基づき、液晶表示パネル３に撮影により取得されたサイズの画像である本画像を表示させる（ステップＳ８）。
【００４７】
したがって、図５（ａ）に表示状態で、ユーザがカテゴリーが「山」であるサムネイル画像３０３にタッチしたとすると、ステップＳ８での処理により、図５（ｂ）に示すように、サムネイル画像３０３に対応する本画像である画像３３１が液晶表示パネル３に表示される。
【００４８】
このように、鑑賞者Ｐは、サムネイル表示された画像のいずれかにタッチするという簡単な操作により、液晶表示パネル３に表示させる画像のカテゴリーを選択することとができる。
【００４９】
次に、ＣＰＵ１１は、ＧＰＳ制御部２０が生成した緯度・経度で示される位置情報を取得し、現在位置としてＲＡＭ１３に記憶する（ステップＳ９）。また、磁気方位センサ１９が検出する前記法線Ｌの方向であるＤＰＦ１の向きを示す方向を取得して、ＲＡＭ１３に記憶する（ステップＳ１０）。
【００５０】
そして、画像を表示させた際にＲＡＭ１３に記憶した方向（以下、前回の方向という）と、今回ＲＡＭ１３に記憶した方向との差を算出することにより、画像を表示させた際の方向に変化があったか否かを判断する（ステップＳ１１）。このステップＳ１１での判断に際しては、方向に対して例えば±３０°の移動角度θを設け、前回の方向に対して、今回の方向が両方向に３０°以上変化した場合に、ＹＥＳと判断する。
【００５１】
したがって、図３Ａに鎖線で示すように、鑑賞者ＰがＤＰＦ１を余裕角度θ以上、水平回転させると、ＤＰＦ１の方向に変化があったこととなり、ステップＳ１１の判断がＹＥＳとなる。よって、ステップＳ１１からステップＳ１２に進み、現在液晶表示パネル３に表示されている画像と同一カテゴリーの画像を表す画像データであって、前記方向が示す方向で撮影された画像データが内部メモリ１４にあるか否かを判断する（ステップＳ１２）。
【００５２】
つまり、内部メモリー１４に記憶されている画像データは、カテゴリー毎に分類されていることから、現在液晶表示パネル３に表示されている画像と同一カテゴリーの画像データが内部メモリー１４に記憶されているか否かを判断することができる。
【００５３】
また、内部メモリー１４に記憶されている分類された各画像データには撮影位置を示す位置データが付加されていることから、ステップＳ９で取得された現在位置に対して各画像データの撮影位置がいずれの方向であるかを算出することもできる。したがって、ステップＳ１０で取得された方向と、各画像データの撮影位置の方向とを比較することにより、前記方向で撮影された画像データがあるか否かを判断することができる。
【００５４】
前記方向で撮影された画像データがない場合には、ステップＳ１０に戻る。したがって、鑑賞者ＰがＤＰＦ１を余裕角度θ以上変化させた場合であっても、前記方向で撮影された画像データがない場合には、現在の表示状態が継続する。よって、前記方向で撮影された画像データがない場合でも、引き続き液晶表示パネル３には画像３３１が表示され続けられることから、鑑賞者Ｐは画像の観賞を継続することができる。
【００５５】
また、ステップＳ１２の判断がＹＥＳである場合には、同一カテゴリーであって、前記方向で撮影された画像データを内部メモリー１４から選択する（ステップＳ１３）。引き続き、この選択された画像データが複数であるか否かを判断する（ステップＳ１４）。複数である場合には、前記ステップＳ９で取得してＲＡＭ１３に記憶してある現在位置に対して、最も近くで撮影された画像データを選択して（ステップＳ１５）、ステップＳ１６に進む。複数ではなく、同一カテゴリーであって、前記方向で撮影された画像データが１枚である場合には、ステップＳ１５の処理を行うことなく、ステップＳ１６に進む。
【００５６】
そして、このステップＳ１６においては、前記ステップＳ１３又はステップＳ１５で選択された画像データに基づき、液晶表示パネル３に表示されている画像を表示変更する。したがって、このステップＳ１６での処理により、図５（ｂ）の表示状態から同図（ｃ）の表示状態に移行する。
【００５７】
すなわち、図５（ｂ）に示すように、カテゴリー「山」の画像３３１が表示されている状態で、鑑賞者ＰがＤＰＦ１を角度θ回動させたとする。すると、図５（ｂ）に示すように、同一のカテゴリー「山」に属する画像であって、前回の方向から角度θ変化した方向で撮影された画像であって、ＤＰＦ１の現在位置に最も近い位置で撮影された画像３３２が表示される。
【００５８】
したがって、ユーザにおいて興味のあるカテゴリーに属する画像（この例では、カテゴリー「山」に属する画像）のみを、ＤＰＦ１を水平回動するというユーザによる関与を伴いつつ表示させことができる。よって、ユーザの観賞時の動作が能動的にして、ユーザの画像観賞に対する興趣性を向上させることができる。
【００５９】
しかも、前述のように、液晶表示パネル３で画像を観賞している状態における鑑賞者Ｐの視線方向をＤＰＦ１の向きとして方向を検出し、その方向で撮影された画像を表示することから、ユーザは撮影された方向を認識しつつ、画像を観賞することができる。
【００６０】
また、現在位置から最も近い位置で撮影された画像を表示することから、鑑賞者Ｐにおいて臨場感を得ることもできる。
ＤＰＦ１は、背面（表示部の表示面と対向する面）が方向Ｄを向くように配置されている。ＤＰＦ１の表示面に対して背面（表示部の表示面と対向する面）側に引いた垂線を法線Ｌとする。つまり、表示部が有する画面に直交する法線Ｌのうち、画面の背面側から延びる法線の方向が表示部の向きである。まず、表示部の表示面と対向する面側の垂直な方向である表示部の向きを示す方向を取得する。図３Ｂに示す方向Ｄの向きは、画面の背面側から延びる法線Ｌの方向と同一である。
【００６１】
そして図３Ｂに示すように、ＤＰＦ１を方向Ｄに向けた際、方向Ｄの向きで撮影された保存されている画像データを選択する。方向Ｄの向きにある画像が例えば２つあるとした場合、これら２つの画像である、ＤＰＦ１から距離ｄ１だけ離間した位置にある画像５１のデータと、ＤＰＦ１から距離ｄ２だけ離間した画像５２のデータとを比較し、どちらを表示するかを選択する。
【００６２】
例えば、ＤＰＦ１の向きが示す方向である法線Ｌとのずれθ１、θ２、・・・が最も小さい画像が２つあり、２つともずれが２°であった場合、現在位置から近い位置で撮影された画像を表示する。
【００６３】
ＤＰＦ１の向きが示す方向で撮影された画像データのうち、法線Ｌと最も近い角度で撮影された画像で且つ最も距離が近い画像を表示するが、あくまで距離ｄ１、ｄ２、・・・よりも角度θ１、θ２、・・・を優先する。例えば、図３Ｂに示すように、法線Ｌと角度θ１が４°ずれた画像５１と、法線Ｌと角度θ２が２°ずれた画像５２があった場合、４°ずれた画像５１の方が現在位置から近い距離ｄ１にある位置で撮影された画像であったとしても、法線Ｌと角度が２°ずれた画像５２の方が距離ｄ２は遠くても角度のずれが小さいので、２°ずれた画像を表示する。
【００６４】
しかる後に、モード変更操作等による画像表示の終了指示があった否かを判断する（ステップＳ１７）。終了指示があるまで、ステップＳ１０からの処理を繰り返し、終了指示があった時点でこのフローに従った処理を終了する。
【００６５】
なお、前述したステップＳ１２において、前記方向で撮影された画像データが内部メモリー１４にあるか否かを判断するに際しては、例えば±５°の余裕角度θ′を設け、この余裕角度θ′内の方向で撮影された画像データは、前記方向で撮影されたものと見なすようにしてもよい。このようにすれば、ステップＳ１２がＹＥＳと判断される確率が高まり、液晶表示パネル３における画像の変化頻度を高めることができる。
【００６６】
（変形例）
本実施の形態の変形例においては、ＤＰＦ１に現在高度を取得する高度センサを更に設ける。また、前記ステップＳ１５においては、選択された画像データが複数ある場合、最も近くで撮影された画像を選択するようにしたが、変形例においては、高度センサにより取得された現在高度に最も近い高度で撮影された画像データを選択する。そして、この選択した画像データに基づき画像を表示変更する（ステップＳ１６）。
【００６７】
すなわち、前述のようにＤＰＦ１には、ＡＣ電源とＤＣ電源とを選択的に使用可能な二電源方式が採用されている。したがって、ＤＣ電源を使用することにより、ＤＰＦ１を携帯して外出することも可能である。よって、ＤＰＦ１を携帯して登山し、適宜の高度の地点で、例えばカテゴリー「花」の画像を選択して表示させた後、ＤＰＦ１を回動操作すれば、現在地点と同様の高度で撮影された花の画像、つまりは現在地点と同一の高度に生息する花の画像を観賞することができる。これにより、ユーザの画像観賞に対する興趣性をさらに向上させることができる。
【００６８】
なお、実施の形態においては、ステップＳ５において内部メモリー１４に記憶された画像をカテゴリー毎に分類する処理を行うようにした。しかし、配信コンテンツサーバ５０にこのＤＰＦ１のメーカー等が、そのホームページにおいて既にカテゴリー毎に分類した画像データを予め用意しておくことが考えられる。このような場合には、ステップＳ５の処理は不要となり、予め前記ホームページからダウンロードして内部メモリー１４に記憶した画像データに基づき、前述したステップＳ６以降の処理を行えばよい。これにより、ＣＰＵ１１の処理負担を軽減しつつ、より多くの画像を観賞することが可能となる。
【００６９】
また、実施の形態においては、ＤＰＦ１に表示されている画像と同一カテゴリーの画像データのうち、表示部の方向で撮影された画像を記憶部から選択することとしたが、これに限らず、例えば、ＤＰＦ１の表示部に画像が表示されていない状態において鑑賞者Ｐが画面上に表示されたカテゴリの一覧から自分の好むカテゴリーを選択し、表示部の方向で撮影された画像を記憶部から選択するようにしても良い。
【符号の説明】
【００７０】
１    ＤＰＦ
２    本体
３    液晶表示パネル
５    タッチパネル
６    メモリーカードスロット
７    ＧＰＳアンテナ
１１    ＣＰＵ
１２    ＲＯＭ
１３    ＲＡＭ
１４    内部メモリー
１６    表示制御部
１７    キー入力制御部
１８    メモリーカードインターフェース
１９    磁気方位センサ
２０    ＧＰＳ制御部
３０    通信制御部
５０    配信コンテンツサーバ
６０    メモリーカード
８０    電源制御部
【図１】
2012123594.tif 000003
【図２】
2012123594.tif 000004
【図３Ａ】
2012123594.tif 000005
【図３Ｂ】
2012123594.tif 000006
【図４】
2012123594.tif 000007
【図５】
2012123594.tif 000008